(57)【要約】【課題】本体部を嵌合方向に延ばすことなくカバーとハウジングの位置決めを行い、コネクタを低背化する。【解決手段】本明細書によって開示されるコネクタ１０は、開口部５１を有するハウジング５０と、開口部５１に嵌合する本体部３０を有するカバー２０とを備え、ハウジング５０は、開口部５１において本体部３０との嵌合方向前側に開口するガイド凹部５９を有し、カバー２０は、ガイド凹部５９に嵌合するガイド突起３７を有し、ガイド突起３７がガイド凹部５９に嵌合することで本体部３０が開口部５１に嵌合する前にカバー２０とハウジング５０が嵌合方向と直交する方向に位置決めされており、ガイド突起３７とガイド凹部５９は、嵌合方向と直交する方向に長い形状とされている構成とした。【選択図】図５
2017045572.tif 000002
【特許請求の範囲】
【請求項１】
開口部を有するハウジングと、
前記開口部に嵌合する本体部を有するカバーとを備え、
前記ハウジングは、前記開口部において前記本体部との嵌合方向前側に開口するガイド凹部を有し、
前記カバーは、前記ガイド凹部に嵌合するガイド突起を有し、前記ガイド突起が前記ガイド凹部に嵌合することで前記本体部が前記開口部に嵌合する前に前記カバーと前記ハウジングが前記嵌合方向と直交する方向に位置決めされており、
前記ガイド突起と前記ガイド凹部は、前記嵌合方向と直交する方向に長い形状とされているコネクタ。
【請求項２】
前記ガイド突起は前記ガイド凹部の内部に嵌合可能とされており、前記ガイド突起の外周側面には、前記嵌合方向に延びるリブが形成され、前記ガイド凹部の内周側面には、前記リブが進入する一対の溝が形成されている請求項１に記載のコネクタ。
【請求項３】
前記ガイド突起の外周側面は、前記嵌合方向と直交する方向に延びる一対の長辺側側面と、前記一対の長辺側側面同士を連結する一対の短辺側側面とからなり、前記リブは、前記一対の長辺側側面に一対形成されている請求項２に記載のコネクタ。
【請求項４】
前記ガイド凹部は、前記開口部の奥壁から突出する形態をなし、前記ガイド凹部の突出端縁は、前記開口部の開口縁よりも前記奥壁側に位置している請求項１から請求項３のいずれか一項に記載のコネクタ。
【請求項５】
前記ガイド凹部に嵌合した前記ガイド突起は、前記奥壁を貫通する形態をなしている請求項４に記載のコネクタ。
【発明の詳細な説明】
【技術分野】
【０００１】
本明細書によって開示される技術は、コネクタに関する。
【背景技術】
【０００２】
従来、車載用電気機器を収容したケースに設けられた作業用の開口部を閉鎖するシールカバーとして、例えば特開２０１２−２３６４５０号公報（下記特許文献１）に記載のものが知られている。このシールカバーは、ケースの開口部を覆う形状をなしてケースの表面に取り付けられるカバー本体と、カバー本体の裏面側において開口部に嵌合可能に配されたシールリング保持部材とを備えて構成されている。シールリング保持部材は、開口部の形状に合わせて嵌合方向に延びる本体部を有しており、この本体部における上端寄りの外周面には、シール装着溝が全周に亘って形成されている。このシール装着溝に、長円形の環形をなすシールリングが嵌着されている。
【先行技術文献】
【特許文献】
【０００３】
【特許文献１】特開２０１２−２３６４５０号公報
【発明の概要】
【発明が解決しようとする課題】
【０００４】
上記のシールカバーでは、カバー本体を開口部に嵌合させて正規の姿勢に案内するため、本体部におけるシール装着溝の下方部分を嵌合方向に延ばすことで対応している。このようにすれば、本体部のうちシール装着溝の下方部分が開口部に嵌合する過程で、カバー本体が正規の嵌合姿勢に案内され、嵌合を円滑に行うことができる。ここで、本体部が嵌合方向に延びたとしても、嵌合方向にハーネスを引き出すタイプのシールカバーであれば、嵌合方向に引き出されたハーネスの収容空間を利用して本体部を配置することができるため、大きな問題とはならない。ところが、嵌合方向に対して垂直をなす方向にハーネスを引き出すシールカバーの場合、シールカバーの嵌合方向後方に十分なスペースが確保されていないために、本体部を嵌合方向に延ばすことができないことも想定される。
【課題を解決するための手段】
【０００５】
本明細書によって開示されるコネクタは、開口部を有するハウジングと、前記開口部に嵌合する本体部を有するカバーとを備え、前記ハウジングは、前記開口部において前記本体部との嵌合方向前側に開口するガイド凹部を有し、前記カバーは、前記ガイド凹部に嵌合するガイド突起を有し、前記ガイド突起が前記ガイド凹部に嵌合することで前記本体部が前記開口部に嵌合する前に前記カバーと前記ハウジングが前記嵌合方向と直交する方向に位置決めされており、前記ガイド突起と前記ガイド凹部は、前記嵌合方向と直交する方向に長い形状とされている構成とした。
【０００６】
このような構成によると、ガイド突起をガイド凹部に嵌合させることで本体部と開口部の嵌合案内を行うことができる。すなわち、カバーのガイド突起をハウジングのガイド凹部に嵌合させれば、そのまま本体部を開口部に嵌合させることができるようになっている。このため、従来のシールカバーのように、カバーのハウジングに対する位置決めを行うにあたって本体部を嵌合方向に延ばす必要がなく、カバーおよびハウジングの大型化を回避して、コネクタを低背化できる。
【０００７】
本明細書によって開示されるコネクタは、以下の構成としてもよい。
前記ガイド突起は前記ガイド凹部の内部に嵌合可能とされており、前記ガイド突起の外周側面には、前記嵌合方向に延びるリブが形成され、前記ガイド凹部の内周側面には、前記リブが進入する一対の溝が形成されている構成としてもよい。
このような構成によると、ガイド突起をガイド凹部に嵌合させることに加えてリブを溝に進入させることによっても、カバーのハウジングに対する位置決めを行うことができる。したがって、カバーのハウジングに対する位置決めを精度よく行うことができる。
【０００８】
前記ガイド突起の外周側面は、前記嵌合方向と直交する方向に延びる一対の長辺側側面と、前記一対の長辺側側面同士を連結する一対の短辺側側面とからなり、前記リブは、前記一対の長辺側側面に一対形成されている構成としてもよい。
このような構成によると、ガイド突起の外周側面のうち一対の長辺側側面に一対のリブを設けたから、ガイド突起が十字形状に近くなり、カバーのハウジングに対する回転方向の位置決めを精度よく行うことができる。
【０００９】
前記ガイド凹部は、前記開口部の奥壁から突出する形態をなし、前記ガイド凹部の突出端縁は、前記開口部の開口縁よりも前記奥壁側に位置している構成としてもよい。
このような構成によると、ガイド凹部が開口部の開口縁から飛び出さないため、ガイド凹部によってハウジングが大型化することを回避できる。
【００１０】
前記ガイド凹部に嵌合した前記ガイド突起は、前記奥壁を貫通する形態をなしている構成としてもよい。
このような構成によると、ガイド突起を長くした場合でも、ガイド突起が奥壁を貫通する形態で配されるため、ガイド突起の長さに合わせてガイド凹部を長めに形成しなくてもよく、ハウジングが大型化することはない。
【発明の効果】
【００１１】
本明細書によって開示される技術によれば、本体部を嵌合方向に延ばすことなくカバーとハウジングの位置決めを行うことができるため、コネクタを低背化できる。
【図面の簡単な説明】
【００１２】
【図１】実施形態におけるカバーの正面図
【図２】ハウジングの正面図
【図３】図２のＣ−Ｃ線の位置で切断したハウジングにカバーを組み付ける前の状態を示した断面図
【図４】図１のＡ−Ａ線の位置で切断したカバーを、図２のＢ−Ｂ線の位置で切断したハウジングに組み付ける前の状態を示した断面図
【図５】図４の状態から、ガイド突起をガイド凹部の内部に嵌合させた後であって、インターロックコネクタをフード部の内部に嵌合させる前の状態を示した断面図
【図６】図５の状態から、インターロックコネクタをフード部の内部に嵌合させた後の状態を示した断面図
【図７】図６の状態から、本体部を開口部の内部に嵌合させた後の状態を示した断面図
【発明を実施するための形態】
【００１３】
＜実施形態＞
実施形態を図１から図７の図面を参照しながら説明する。本実施形態のコネクタ１０は、図３に示すように、カバー２０と、ハウジング５０と、インターロックコネクタ７０とを備えて構成されている。カバ−２０は、ハウジング５０に対して上方から嵌合可能とされている。
【００１４】
カバー２０は、合成樹脂製の本体部３０と、本体部３０にワッシャー付きボルト４１で固定されたカバー側シールドシェル４０とを備えている。本体部３０は、カバー側シールドシェル４０に沿って配される平板状の基板部３１と、基板部３１から筒状をなして突出するシールリング保持部３２とを有している。シールリング保持部３２の外周側面には、シールリング３３が装着される装着溝３４が周設されている。シールリング保持部３２における基板部３１と反対側の端部には、テーパ状をなす誘い込み部３５が設けられている。
【００１５】
基板部３１の下面（シールリング保持部３２側の面）には、インターロックコネクタ７０が装着されている。インターロックコネクタ７０は、基板部３１の下面に沿って移動可能に装着されている。インターロックコネクタ７０の内部には、一対の雌端子７１が収容され、これらの雌端子７１が電線等によって短絡されている。このインターロックコネクタ７０には、機器１側のインターロック回路に接続された機器側コネクタ２が嵌合可能とされている。機器１は、フード部３を有し、フード部３の内部に一対の雄端子４が設けられている。インターロックコネクタ７０をフード部３の内部に嵌合させると、一対の雌端子７１が一対の雄端子４にそれぞれ接続され、インターロック回路が閉じられた状態となる。
【００１６】
一方、基板部３１の上面（シールリング保持部３２と反対側の面）には、位置決めピン３６と、締結ボス３１Ｂとが設けられている。位置決めピン３６は、カバー側シールドシェル４０に設けられた位置決め孔４２を貫通している。また、締結ボス３１Ｂは、同じくカバー側シールドシェル４０に設けられたボス挿通孔４３を貫通している。締結ボス３１Ｂには、ワッシャー付きボルト４１が締結されている。ボス挿通孔４３の直径は、ワッシャー付きボルト４１のワッシャー部分の直径よりも小さいものとされている。したがって、カバー側シールドシェル４０は、本体部３０に対して位置決めピン３６によって位置決めされた状態でワッシャー付きボルト４１によって固定されている。
【００１７】
ハウジング５０は合成樹脂製であって、カバー２０の本体部３０が上方から内部に嵌合可能な開口部５１と、バスバー端子６０が側方から内部に挿入可能な端子挿入部５２と、機器１のケース７に設けられた取付孔８に嵌合可能なコネクタ嵌合部５３とを備えている。端子挿入部５２には、ハウジング側シールドシェル４５が外嵌されており、カバー側シールドシェル４０とハウジング側シールドシェル４５によってコネクタ１０の全体が覆われるようになっている。ハウジング側シールドシェル４５は、端子挿入部５２を覆う筒状接続部４６を有しており、筒状接続部４６には電線Ｗを覆う編組線が接続されている。編組線は、かしめリング４７をかしめることによって筒状接続部４６に圧着されている。
【００１８】
バスバー端子６０は、電線Ｗの端末に露出された芯線Ｗ１に接続されている。電線Ｗの絶縁被覆Ｗ２には、ゴム栓６１が嵌着されており、ゴム栓６１は、バックリテーナ６２によって抜け止めされている。ゴム栓６１によって端子挿入部５２の内部が止水されている。バスバー端子６０は、端子挿入部５２に設けられたランス５４によって抜け止めされている。
【００１９】
コネクタ嵌合部５３は、カバー２０の基板部３１と対向して配される奥壁５５を有している。奥壁５５は、金属スリーブ４８を挿通させるスリーブ挿通部５６と、機器側コネクタ２を挿通させる機器側コネクタ挿通孔５７とを有している。金属スリーブ４８の上端部には、フランジ４９が径方向外側に突出する形態で設けられている。フランジ４９がスリーブ挿通部５６の上端部に引っ掛かることで金属スリーブ４８の下方への脱落が抑制されている。
【００２０】
金属スリーブ４８の下方には、機器１側に設けられた機器側導電板５と、ナット６とが設けられている。金属スリーブ４８のフランジ４９上にバスバー端子６０を載置し、接続ボルト５８を挿通させてナット６に締結すると、接続ボルト５８の頭部とフランジ４９の間にバスバー端子６０が挟持され、金属スリーブ４８の下端部とナット６の間に機器側導電板５が挟持される。これにより、バスバー端子６０と機器側導電板５が金属スリーブ４８を介して導通可能に接続される。
【００２１】
さて、図１に示すように、カバー２０の基板部３１には、ガイド突起３７が設けられている。ガイド突起３７は、カバー２０とハウジング５０の嵌合方向と直交する方向に長い長円形状とされている。ガイド突起３７の外周側面は、嵌合方向と直交する方向に延びる一対の長辺側側面３９Ａと、一対の長辺側側面３９Ａ同士を連結する一対の短辺側側面３９Ｂとからなる。また、一対の長辺側側面３９Ａには一対のリブ３８が形成されている。一方のリブ３８は、他方のリブ３８と反対側を向いて配されている。
【００２２】
一方、図２に示すように、ハウジング５０の奥壁５５には、ガイド凹部５９が設けられている。ガイド凹部５９は、ガイド突起３７の外周形状と同じ内周形状を有しており、ガイド突起３７がわずかなクリアランスをもって嵌合する。したがって、ガイド凹部５９は、ガイド突起３７の一対のリブ３８が進入する一対の溝６３を有している。一対の溝６３は、ガイド凹部５９の内周側面のうち対向する一対の面に形成されている。
【００２３】
図４に示すように、ガイド凹部５９はガイド突起３７との嵌合方向に貫通する貫通孔として構成されている。このため、ガイド凹部５９は奥壁５５を貫通する形態とされている。また、ガイド凹部５９は、開口部５１の内部において奥壁５５から本体部３０との嵌合方向前側に突出し、本体部３０との嵌合方向前側に開口する形態とされている。さらに、ガイド凹部５９の突出端は、開口部５１の開口縁よりも奥壁５５側に位置している。本体部３０が開口部５１の内部に嵌合した状態では、ガイド突起３７が奥壁５５を貫通する形態でガイド凹部５９に嵌合している。
【００２４】
本実施形態は以上のような構成であって、続いてその作用を説明する。カバー２０をハウジング５０に嵌合させていくと、図５に示すように、本体部３０が開口部５１の内部に嵌合する前に、ガイド突起３７がガイド凹部５９に嵌合し始める。このとき、インターロックコネクタ７０は機器側コネクタ２のフード部３の内部に未だ嵌合していない。このようにガイド突起３７がガイド凹部５９に嵌合することにより、嵌合方向と直交する方向においてカバー２０のハウジング５０に対する位置決めが完了した状態となる。
【００２５】
引き続き、カバ−２０をハウジング５０に嵌合させていくと、インターロックコネクタ７０が機器側コネクタ２のフード部３の内部に嵌合し始める。さらに嵌合を進めていくと、図６に示すように、シールリング保持部３２の誘い込み部３５が開口部５１の開口縁に干渉して正規の嵌合姿勢に誘い込まれ、シールリング保持部３２が開口部５１の内部に嵌合し始める。そして、嵌合が完了すると、図７に示すように、基板部３１におけるシールリング保持部３２の外側部分３１Ａが開口部５１の開口縁に当接した状態となり、ガイド凹部５９に嵌合したガイド突起３７は、奥壁５５を貫通して下方に突出する形態をなす。
【００２６】
シールリング保持部３２が開口部５１の内部に嵌合した状態では、シールリング３３が装着溝３４の底面と開口部５１の内周側面との間に挟持された状態となり、開口部５１の内部が止水される。また、一対の雌端子７１が一対の雄端子４にそれぞれ接続された状態となる。
【００２７】
以上のように本実施形態では、ガイド突起３７をガイド凹部５９の内部に嵌合させることで本体部３０と開口部５１の嵌合案内を行うことができる。すなわち、カバー２０のガイド突起３７をハウジング５０のガイド凹部５９の内部に嵌合させれば、そのまま本体部３０を開口部５１の内部に嵌合させることができるようになっている。このため、従来のシールカバーのように、カバーのハウジングに対する位置決めを行うにあたって本体部３０を嵌合方向に延ばす必要がなく、カバー２０およびハウジング５０の大型化を回避して、コネクタ１を低背化できる。
【００２８】
ガイド突起３７はガイド凹部５９の内部に嵌合可能とされており、ガイド突起３７の外周側面には、嵌合方向に延びるリブ３８が形成され、ガイド凹部５９の内周側面には、リブ３８が進入する一対の溝６３が形成されている構成としてもよい。
このような構成によると、ガイド突起３７をガイド凹部５９に嵌合させることに加えてリブ３８を溝６３に進入させることによっても、カバー２０のハウジング５０に対する位置決めを行うことができる。したがって、カバー２０のハウジング５０に対する位置決めを精度よく行うことができる。
【００２９】
ガイド突起３７の外周側面は、嵌合方向と直交する方向に延びる一対の長辺側側面３９Ａと、一対の長辺側側面３９Ａ同士を連結する一対の短辺側側面３９Ｂとからなり、リブ３８は、一対の長辺側側面３９Ａに一対形成されている構成としてもよい。
このような構成によると、ガイド突起３７の外周側面のうち一対の長辺側側面３９Ａに一対のリブ３８を設けたから、ガイド突起３７が十字形状に近くなり、カバー２０のハウジング５０に対する回転方向の位置決めを精度よく行うことができる。
【００３０】
ガイド凹部５９は、開口部５１の奥壁５５から突出する形態をなし、ガイド凹部５９の突出端縁は、開口部５１の開口縁よりも奥壁５５側に位置している構成としてもよい。
このような構成によると、ガイド凹部５９が開口部５１の開口縁から飛び出さないため、ガイド凹部５９によってハウジング５０が大型化することを回避できる。
【００３１】
ガイド凹部５９に嵌合したガイド突起３７は、奥壁５５を貫通する形態をなしている構成としてもよい。
このような構成によると、ガイド突起３７を長くした場合でも、ガイド突起３７が奥壁５５を貫通する形態で配されるため、ガイド突起３７の長さに合わせてガイド凹部５９を長めに形成しなくてもよく、ハウジング５０が大型化することはない。
【００３２】
＜他の実施形態＞
本明細書によって開示される技術は上記記述及び図面によって説明した実施形態に限定されるものではなく、例えば次のような種々の態様も含まれる。
（１）上記実施形態ではシールリング保持部３２が開口部５１の内部（内周側）に嵌合するようにしているものの、開口部５１の外周側に嵌合するシールリング保持部としてもよい。
【００３３】
（２）上記実施形態ではガイド突起３７がガイド凹部５９の内部（内周側）に嵌合するようにしているものの、ガイド凹部５９の外周側に嵌合する筒状のガイド突起としてもよい。
【００３４】
（３）上記実施形態ではガイド突起３７は長円形状とされているものの、楕円形状のガイド突起としてもよいし、角部が丸みを帯びた長方形状のガイド突起としてもよい。
【００３５】
（４）上記実施形態ではガイド突起３７の外周側面に一対のリブ３８を設けているものの、ガイド突起３７の外周側面にリブ３８を１つだけ設けてもよいし、外周側面のうち短辺側側面３９Ｂにリブ３８を設けてもよい。
【００３６】
（５）上記実施形態ではガイド凹部５９が奥壁５５から突出する形態をなしているものの、ガイド凹部として奥壁５５に貫通する貫通孔のみを設け、この貫通孔の位置に合わせてガイド突起を長めに設けてもよい。
【００３７】
（６）上記実施形態ではガイド凹部５９に嵌合したガイド突起３７が奥壁５５を貫通しているものの、奥壁５５を貫通しないガイド突起としてもよい。
【符号の説明】
【００３８】
１０…コネクタ
２０…カバー
３０…本体部
３７…ガイド突起
３８…リブ
３９Ａ…長辺側側面
３９Ｂ…短辺側側面
５０…ハウジング
５１…開口部
５５…奥壁
５９…ガイド凹部
【図１】
2017045572.tif 000003
【図２】
2017045572.tif 000004
【図３】
2017045572.tif 000005
【図４】
2017045572.tif 000006
【図５】
2017045572.tif 000007
【図６】
2017045572.tif 000008
【図７】
2017045572.tif 000009